(57)【特許請求の範囲】
【請求項１】
大径竿管の前端部内側に小径竿管の後端部を継合自在に形成し、釣糸導入ガイドから竿管内部に釣糸を導入する継式中通し釣竿であって、前記釣糸導入ガイドより前方の大径竿管の内部に複数個の釣糸ガイドを突出形成し、該複数個の釣糸ガイドの各内口径を小径竿管の継合部である後端部の最大外径よりも大きく形成し、前記継式中通し釣竿が振出式中通し釣竿であって、前記複数個の釣糸ガイドは夫々、軸長方向後方が高くなるよう傾斜した傾斜状案内部を有し、該複数個の釣糸ガイドの内、小径竿管との継合部に最も近い位置の釣糸ガイドの内口径を、該小径竿管の継合部である後端部の最大外径より大きく、かつ略同一に形成したことを特徴とする継式中通し釣竿。
【請求項２】
大径竿管の前端部内側に小径竿管の後端部を継合自在に形成し、釣糸導入ガイドから竿管内部に釣糸を導入する継式中通し釣竿であって、前記釣糸導入ガイドより前方の大径竿管が内径を後方に向って拡径するテーパ状部を有し、該テーパ状部の内部に複数個の釣糸ガイドを突出形成し、該複数個の釣糸ガイドの各内口径を前記小径竿管の継合部である後端部の最大外径よりも大きく形成すると共に、各内口径を略同一か又は前記テーパ状部内径のテーパ変化より小さな変化で後方に向って拡径するよう形成し、前記継式中通し釣竿が振出式中通し釣竿であって、前記複数個の釣糸ガイドは夫々、軸長方向後方が高くなるよう傾斜した傾斜状案内部を有し、該複数個の釣糸ガイドの内、小径竿管との継合部に最も近い位置の釣糸ガイドの内口径を、該小径竿管の継合部である後端部の最大外径より大きく、かつ略同一に形成したことを特徴とする継式中通し釣竿。
【請求項３】
大径竿管の前端部内側に小径竿管の後端部を継合自在に形成し、釣糸導入ガイドから竿管内部に釣糸を導入する継式中通し釣竿であって、前記釣糸導入ガイドより前方の大径竿管において、該大径竿管の継合部の後部内側を急テーパ状又は段差状に形成し、該急テーパ状又は段差状部分の更に後方にストレート又は緩テーパ状の大径中空部を形成し、該大径中空部に内方に突出する複数個の釣糸ガイドを配設し、該複数個の釣糸ガイドの各内口径を前記小径竿管の継合部である後端部の最大外径より大きく形成し、前記継式中通し釣竿が振出式中通し釣竿であって、前記複数個の釣糸ガイドは夫々、軸長方向後方が高くなるよう傾斜した傾斜状案内部を有し、該複数個の釣糸ガイドの内、小径竿管との継合部に最も近い位置の釣糸ガイドの内口径を、該小径竿管の継合部である後端部の最大外径より大きく、かつ略同一に形成したことを特徴とする継式中通し釣竿。
【発明の詳細な説明】
【０００１】
【産業上の利用分野】
本発明は、釣糸ガイドを内蔵した継式中通し釣竿に関する。
【０００２】
【従来の技術】
実開昭６３−１２９４６６号公報には、竿管の内側中空部に突出する釣糸ガイド（中間リング）を固着した中通し釣竿が開示されている。この釣糸ガイドの存在によって釣糸が竿管内面に接触する虞が低減し、竿管内面が濡れていても釣糸抵抗は小さくて済む。
【０００３】
【発明が解決しようとする課題】
然しながら、小径竿管が大径竿管の釣糸ガイド位置までしか収納できず、該釣糸ガイドの装着位置によっては小径竿管の全体を収納することができない。
【０００４】
依って本発明は、小径竿管を大径竿管の内側中空部内に収納できると共に、釣糸挿通時の糸抵抗を低減できる継式中通し釣竿の提供を目的とする。
【０００５】
【課題を解決するための手段】
上記目的に鑑みて本発明は、請求項１に対応して、大径竿管の前端部内側に小径竿管の後端部を継合自在に形成し、釣糸導入ガイドから竿管内部に釣糸を導入する継式中通し釣竿であって、前記釣糸導入ガイドより前方の大径竿管の内部に複数個の釣糸ガイドを突出形成し、該複数個の釣糸ガイドの各内口径を小径竿管の継合部である後端部の最大外径よりも大きく形成し、前記継式中通し釣竿が振出式中通し釣竿であって、前記複数個の釣糸ガイドは夫々、軸長方向後方が高くなるよう傾斜した傾斜状案内部を有し、該複数個の釣糸ガイドの内、小径竿管との継合部に最も近い位置の釣糸ガイドの内口径を、該小径竿管の継合部である後端部の最大外径より大きく、かつ略同一に形成する。
上記複数個の釣糸ガイドは、大径竿管内部のものであって、大径竿管後端の保持体に保持された釣糸ガイド本体は含まない。以下同じ。
【０００６】
また、請求項２に対応して、大径竿管の前端部内側に小径竿管の後端部を継合自在に形成し、釣糸導入ガイドから竿管内部に釣糸を導入する継式中通し釣竿であって、前記釣糸導入ガイドより前方の大径竿管が内径を後方に向って拡径するテーパ状部を有し、該テーパ状部の内部に複数個の釣糸ガイドを突出形成し、該複数個の釣糸ガイドの各内口径を前記小径竿管の継合部である後端部の最大外径よりも大きく形成すると共に、各内口径を略同一か又は前記テーパ状部内径のテーパ変化より小さな変化で後方に向って拡径するよう形成し、前記継式中通し釣竿が振出式中通し釣竿であって、前記複数個の釣糸ガイドは夫々、軸長方向後方が高くなるよう傾斜した傾斜状案内部を有し、該複数個の釣糸ガイドの内、小径竿管との継合部に最も近い位置の釣糸ガイドの内口径を、該小径竿管の継合部である後端部の最大外径より大きく、かつ略同一に形成する。
【０００７】
また、請求項３に対応して、大径竿管の前端部内側に小径竿管の後端部を継合自在に形成し、釣糸導入ガイドから竿管内部に釣糸を導入する継式中通し釣竿であって、前記釣糸導入ガイドより前方の大径竿管において、該大径竿管の継合部の後部内側を急テーパ状又は段差状に形成し、該急テーパ状又は段差状部分の更に後方にストレート又は緩テーパ状の大径中空部を形成し、該大径中空部に内方に突出する複数個の釣糸ガイドを配設し、該複数個の釣糸ガイドの各内口径を前記小径竿管の継合部である後端部の最大外径より大きく形成し、前記継式中通し釣竿が振出式中通し釣竿であって、前記複数個の釣糸ガイドは夫々、軸長方向後方が高くなるよう傾斜した傾斜状案内部を有し、該複数個の釣糸ガイドの内、小径竿管との継合部に最も近い位置の釣糸ガイドの内口径を、該小径竿管の継合部である後端部の最大外径より大きく、かつ略同一に形成する。
【０００８】
【作用】
請求項１に対応して、大径竿管内部に釣糸ガイドを突出形成しているため釣糸は竿管内面に接触することが防止されて釣糸抵抗が低減する。また、大径竿管の内部に設けた釣糸ガイドの内口径を小径竿管の外径よりも大きく形成し、振出式のため該小径竿管を釣糸ガイドの後方位置まで収納自在となる。更には、小径竿管との継合部に最も近い最初の釣糸ガイドの内口径が小径竿管の継合部の外径よりも大きく、かつ略同一に形成されているため、振出式の継合部を離れた小径竿管の後端部は最初の釣糸ガイドの前部の傾斜状案内部に案内されて挿通し、その後は、該小径竿管は更に後方の釣糸ガイドに対して各傾斜状案内部に当接できる程度に最初の釣糸ガイドによって支持されており、この各傾斜状案内部によって各釣糸ガイドを円滑に挿通可能となり、円滑に後方への収納が可能になる。
【０００９】
請求項２に対応して、大径竿管内部に釣糸ガイドを突出形成しているため釣糸は竿管内面に接触することが防止されて釣糸抵抗が低減する。また、大径竿管の内部に設けた釣糸ガイドの内口径を小径竿管の外径よりも大きく形成するため、振出式では該小径竿管を釣糸ガイドの後方位置まで収納自在となる。並継の場合は、大径竿管の後端から小径竿管の先を先頭にして収納できる。以上の他、大径竿管が内径を後方に向って拡径するテーパ状部を有すると共に、釣糸ガイドの内口径を小径竿管の外径よりも大きく形成すると共に、各内口径を略同一か又は前記テーパ状部内径のテーパ変化より小さな変化で後方に向って拡径するよう形成しているため、後方位置の釣糸ガイド程高く突出し、複数個の釣糸ガイドを可級的に突出させており、釣糸が竿管内面に更に接触し難くなり、釣糸抵抗の低減に寄与する。これらに加え、小径竿管との継合部に最も近い最初の釣糸ガイドの内口径が小径竿管の継合部の外径よりも大きく、かつ略同一に形成されているため、振出式の継合部を離れた小径竿管の後端部は最初の釣糸ガイドの前部の傾斜状案内部に案内されて挿通し、その後は、該小径竿管は更に後方の釣糸ガイドに対して各傾斜状案内部に当接できる程度に最初の釣糸ガイドによって支持されており、この各傾斜状案内部によって各釣糸ガイドを円滑に挿通可能となり、円滑に後方への収納が可能になる。
【００１０】
請求項３に対応して、大径竿管内部に釣糸ガイドを突出形成しているため釣糸は竿管内面に接触することが防止されて釣糸抵抗が低減する。また、大径竿管の内部に設けた釣糸ガイドの内口径を小径竿管の外径よりも大きく形成し、振出式のため該小径竿管を釣糸ガイドの後方位置まで収納自在となる。更に、大径竿管の継合部の後部内側を急テーパ状又は段差状に形成しているため、その後方は小径竿管に対して大きく形成されており、この領域内部に充分に突出させた釣糸ガイドを形成できるため、小径竿管を後方位置まで収納可能にさせると共に、釣糸抵抗が充分に低減する。更には、小径竿管との継合部に最も近い最初の釣糸ガイドの内口径が小径竿管の継合部の外径よりも大きく、かつ略同一に形成されているため、振出式の継合部を離れた小径竿管の後端部は最初の釣糸ガイドの前部の傾斜状案内部に案内されて挿通し、その後は、該小径竿管は更に後方の釣糸ガイドに対して各傾斜状案内部に当接できる程度に最初の釣糸ガイドによって支持されており、この各傾斜状案内部によって各釣糸ガイドを円滑に挿通可能となり、円滑に後方への収納が可能になる。
【００１１】
【実施例】
以下、本発明を添付図面に示す実施例に基づき、更に詳細に説明する。
図１は、例えば合成樹脂をマトリックスとして強化繊維によって強化形成された振出式中通し釣竿の側面図を示し、元竿１０に中竿１２が振出継ぎ合わせされ、該中竿１２に穂先竿１４が振出継ぎ合わせされている。元竿１０にはリール固定装置２０が装着されており、これに両軸受けリール２２が固定されて、元竿１０先部の釣糸導入ガイド１８から該元竿内に釣糸２４を導入し、中竿と穂先竿を通して先端のトップガイド１６から外部に引き出している。参照番号２６は竿尻部品を示す。
【００１２】
図２は上記の穂先竿（小径竿管）１４と中竿（大径竿管）１２とを一部縦断面図で示している。中竿１２の先端部継合部１２Ｔの内部には穂先竿１４の継合部である後端部１４Ｔが振出式に継ぎ合わされている。その後方の中竿１２の内部には、先方から順に、セラミックス製釣糸ガイドＧ１，Ｇ２，Ｇ３，Ｇ４が突出配置されている。また、中竿１２の後端には釣糸ガイド本体ｇ５を保持した保持体ＨＧが螺着されている。これら釣糸ガイドＧ１，・・・Ｇ４はその内口径が穂先竿１４の最大外径を有する後端部１４Ｔの外径よりも大きく形成されている。従って釣りの最中では、釣糸は水に濡れている中竿１２の内面に接触しないで釣糸ガイドに案内されて、釣糸抵抗が低減できると共に、穂先竿１４を収納する際には、２点鎖線で示すように中竿１２の後方部にまで収納できる。
並継式の場合は、中竿１２から保持体ＨＧを外して、その後端から穂先竿１４を収納できる。
【００１３】
図３は他の釣竿の例を示し、中竿１２’は内径も外径も全長に亘って先細テーパ状に形成されており、穂先竿１４の後端部１４Ｔを振出式に継ぎ合わせている先端部１２Ｔ’から後方への所定の範囲Ｚに亘って、内部に釣糸ガイドを設けていないが、その後部にはセラミックス製釣糸ガイドＧ１’，Ｇ２’，Ｇ３’，Ｇ４’が内部に突出するように順次設けられている。また後端には図２の場合と同様に釣糸ガイド本体ｇ５が保持体ＨＧに保持されて装着されている。この場合、各釣糸ガイドの内口径は穂先竿の後端部よりも大きく、かつ夫々が略同一か、或いは上記中竿１２’の内径のテーパ変化より小さな変化で後方に向って拡径するよう形成されている。従って、振出式では穂先竿１４を後方部にまで収納できる他、釣糸ガイドの高さ（厚さ）ｈは後方の釣糸ガイド程高く形成されている。
並継式であっても、穂先竿１４を上記と同様に中竿１２’の後端から収納することができる。
【００１４】
このため各釣糸ガイドでは最大限に高さｈが高くなるように構成されており、釣糸が中竿内面に接触する虞が最少化され、それだけ釣糸抵抗が低減する。
この第２実施例では大径竿管１２’の全体を後方に向って拡径するテーパ状に形成しているが、大径竿管の一部をこのようなテーパ状に形成してもよい。
【００１５】
図４は本発明に係る釣竿の実施例を示す。中竿１２”は、穂先竿１４の後端部１４Ｔを振出式に継ぎ合わせている先端部１２Ｔ”の後部から所定の範囲に亘って後方に向って急拡大するテーパ状に形成した部分１２Ａと、該急テーパ状部分の更に後方にストレート又は緩テーパ状の大径中空部１２Ｂとを形成している。この大径中空部１２Ｂには、セラミックス製の釣糸ガイド本体ｇ１”が保持体ＨＧ１に保持された釣糸ガイドＧ１”が内部に突出するように装着されている。
【００１６】
その後部位置には、釣糸ガイド本体ｇ２”が保持体ＨＧ２に保持された釣糸ガイドＧ２”が内部に大きく突出するよう装着されている。更に後方にも同様な図示しない釣糸ガイドが内部に突出するように装着されている。また、これらの釣糸ガイドの内口径は穂先竿１４の後端部１４Ｔの外径よりも大きく形成されている。従って、充分な高さを有する釣糸ガイドが内部に装着でき、釣糸抵抗が確実に低減できると共に、振出式の場合は穂先竿１４が中竿１２の後部にまで収納できる。また、並継の場合は中竿１２の後端から収納できる。
上記急テーパ部１２Ａは段差状部であってもよい。
【００１７】
またこの実施例では、各釣糸ガイドＧ１”，Ｇ２”の各保持体ＨＧ１，ＨＧ２の前部が軸長方向後方に向って高くなるよう傾斜した傾斜状案内部Ｋ１，Ｋ２を有している。振出式で穂先竿１４を収納する際に、継合部である中竿先端部１２Ｔ”を離れるので穂先竿１４と該中竿先端部との間に隙間を生じて穂先竿１４は傾斜するが、この場合、穂先竿の後端が釣糸ガイドに引っ掛ると該穂先竿１４を中竿後部にまで円滑に収納できなくなる。しかし、最初の釣糸ガイドＧ１”の前部に傾斜状案内部Ｋ１が形成されており、この案内作用によって穂先竿１４の後端部は該後端部と略同一の内径を有する最初の釣糸ガイドＧ１”を円滑に挿通できる。これによって、以後、穂先竿を大きく傾けることなく後方に案内でき、幾分かの傾きによる穂先竿の後端は、後方の釣糸ガイドＧ２”の前部に設けた傾斜状案内部Ｋ２等に当接して、その案内作用によって各釣糸ガイドを円滑に挿通できる。
【００１８】
このような傾斜状案内部は図４に示す実施例の場合にのみ有効なのではなく、図２や図３に示す実施例の場合にも適用することが好ましい。
以上の実施例では穂先竿１４を小径竿管とし、中竿１２を大径竿管としたが、穂先竿と中竿の間に第２、第３の中竿が存在する場合には、第２中竿が大径竿管となり、第３中竿が小径竿管の場合や、該第３中竿が大径竿管となり、穂先竿が小径竿管の場合等がある。
【００１９】
【発明の効果】
以上の説明から明らかなように本発明によれば、小径竿管を大径竿管の内側中空部内に収納できると共に、釣糸挿通時の糸抵抗を低減できる継式中通し釣竿が提供可能になる。
【図面の簡単な説明】
【図１】  図１は、継式中通し釣竿の側面図である。
【図２】  図２は図１の要部の縦断面図である。
【図３】  図３は図２に代る他の釣竿の縦断面図である。
【図４】  図４は本発明に係る釣竿実施例の縦断面図である。
【符号の説明】
１２                    中竿（大径竿管）
１４                    穂先竿（小径竿管）
１８                    釣糸導入ガイド
Ｇ１，Ｇ２，Ｇ３，Ｇ４  釣糸ガイド
【図１】
0003666670.tif 000002
【図２】
0003666670.tif 000003
【図３】
0003666670.tif 000004
【図４】
0003666670.tif 000005